(57)【要約】 【課題】  ホース本体が汚れないこと、ホース本体の操作性が良いこと。【解決手段】  支持体に、ホース巻取り機と、ホース巻取り機から送り出されかつ先端部に被供給物の圧力媒体取り入れ口に着脱自在に装着されるエアーチャックを有するホース本体と、被供給物のエアーの充填量を表示する表示器とをそれぞれ備えた圧力媒体充填用エアタワーに於いて、前記支持体を箱状に形成し、支持体の前壁に窓孔を形成し、窓孔に対して位置するようにホース案内部材を前壁に固定的に添設し、ホース案内部材を介して支持体に内設したホース巻取り機のホース本体を窓孔から外へと送り出すこと。【選択図】  図２
2006008306.tif 000002
【特許請求の範囲】
【請求項１】
支持体に、ホース巻取り機と、ホース巻取り機から送り出されかつ先端部に被供給物の圧力媒体取り入れ口に着脱自在に装着されるエアーチャックを有するホース本体と、被供給物のエアーの充填量を表示する表示器とをそれぞれ備えた圧力媒体充填用エアタワーに於いて、前記支持体を箱状に形成し、支持体の前壁に窓孔を形成し、窓孔に対して位置するようにホース案内部材を前壁に固定的に添設し、ホース案内部材を介して支持体に内設したホース巻取り機のホース本体を窓孔から外へと送り出すことを特徴とする圧力媒体充填用エアタワー。
【請求項２】
請求項１に於いて、該窓孔９内に少なくとも下部側の１本のローラの外周の一部が位置するようにホース案内部材を前記前壁３の内壁面に固定的に添設したことを特徴とする圧力媒体充填用エアタワー。
【請求項３】
請求項１に於いて、該窓孔９に対して少なくとも下部側の１本のローラの外周が臨むようにホース案内部材を前記前壁３の内壁面に固定的に添設したことを特徴とする圧力媒体充填用エアタワー。
【請求項４】
請求項１に於いて、ホース案内部材は、支持体１の前壁３の内壁面に固定される左右の軸受けと、これらの軸受けに軸支された複数のローラとを備えていることを特徴とする圧力媒体充填用エアタワー。
【請求項５】
請求項１に於いて、ホース案内部材の複数のローラは、左右一対のローラ軸受け部２４．２４を介して上下左右に軸支された水平ローラ及び垂直ローラであることを特徴とする圧力媒体充填用エアタワー。
【請求項６】
請求項１に於いて、ホース案内部材は、左右一対のローラ軸受け部と、これらのローラ軸受け部に横架された上下一対の水平ローラ支持軸と、これらの水平ローラ支持軸にそれぞれ回転自在に支持された上下一対の水平ローラと、前記ローラ軸受け部の断面横向き凹所に設けられた左右一対の垂直ローラとから成ることを特徴とする圧力媒体充填用エアタワー。
【請求項７】
請求項５又は請求項６に於いて、垂直ローラの上下突起軸は、ローラ軸受け部の断面横向き凹所状の端面部に形成された上下切欠部にそれぞれ嵌め込まれ、これらの上下切欠部の切欠端面と上下の水平ローラの各端面にそれぞれ挟持状態に支持されていることを特徴とする圧力媒体充填用エアタワー。
【請求項８】
請求項１に於いて、支持体１は大人の標準的な身長を基準として長箱状に形成されていると共に、該支持体１の前壁３の上部は傾斜状に形成され、該上部傾斜壁の開口部に表示器及び入力操作手段を有する操作盤が取り付けられていることを特徴とする圧力媒体充填用エアタワー。
【請求項９】
請求項１に於いて、表示器の表示部には、デジタル方式で被供給物の圧力媒体の充填状況が表示されることを特徴とする圧力媒体充填用エアタワー。
【請求項１０】
請求項１に於いて、ホース案内部材は、支持体１の前壁３に固定的に設けられた調整螺杆を含む位置調整手段を介して窓孔９に対して位置調整可能に取付けられることを特徴とする圧力媒体充填用エアタワー。
【発明の詳細な説明】
【技術分野】
【０００１】
本発明は、車両のタイヤ等に対して使用される圧力媒体充填用エアタワーに関する。
【背景技術】
【０００２】
特許文献１の図１には、エアーチャックの一例が記載されている。床面に設置されたエアーチャックのポールの中央部には、支持部材を介してホース巻取り機が取付けられている。このホース巻取り機から先端部に被供給物の圧力媒体取り入れ口に着脱自在に装着されるエアーチャックを有するホース本体が送り出される。
【０００３】
したがって、ホース本体が汚れる、ホース本体が劣化する、ホース本体の送り出しや巻き取りについての操作性が悪い、充填量に関する情報を一瞥することができない、不注意によりホース巻取り機に衝突する危険性がある、機能性を重視した外観上の工夫が必用である等の問題点があった。
【特許文献１】特許公開平８−２４５０８４号公報
【発明の開示】
【発明が解決しようとする課題】
【０００４】
本発明の第１の目的は、ホース巻取り機から送り出されるホース本体が汚れないと共に、ホース本体の外周に傷を付けないように支持体の窓孔からスムースに外部に送り出すことができること。第２の目的は、複数個の構成部材を簡単かつ合理的に組み合わせて一つのセット型ローラ案部材を製作することができること。第３の目的は、セット型ローラ案部材を支持体に簡単に取付けることができること。第４の目的は、付随的目的であるが、セット型ローラ案部材の位置調整ができること、不特定多数の使用者（操作者）の利便性を向上させることができること、外観上の見栄えが良いこと等である。
【課題を解決するための手段】
【０００５】
本発明の圧力媒体充填用エアタワーは、支持体に、ホース巻取り機と、該ホース巻取り機から送り出されかつ先端部に被供給物の圧力媒体取り入れ口に着脱自在に装着されるエアーチャックを有するホース本体と、被供給物のエアーの充填量を表示する表示器とをそれぞれ備えた圧力媒体充填用エアタワーに於いて、前記支持体１を箱状に形成し、この支持体１の前壁３に窓孔９を形成し、該窓孔９に対して位置するようにホース案内部材２１を前記前壁３に固定的に添設し、該ホース案内部材を介して支持体１に内設したホース巻取り機１１のホース本体１４を窓孔９から外へと送り出すことを特徴とする。
【０００６】
上記構成に於いて、ホース案内部材２１は、窓孔９内に少なくとも下部側の１本のローラの外周の一部が位置するように、或いはローラの外周が臨むように前壁３の内壁面に固定的に添設されていることを特徴とする。その他本発明は、従属項にそれぞれ記載するような特徴を有する。
【発明の効果】
【０００７】
（１）ホース巻取り機は、箱状の支持体に内設されているから、ホース巻取り機のホース本体は、操作者が使用する時にだけ、支持体の窓孔から外部へと送り出すことができる。したがって、ホース本体は、塵、埃、雨等の要因によって汚れ、また、太陽光の紫外線によって劣化し難い。
（２）ホース案内部材を支持体の前壁の窓孔に対して位置するように固定的に添設したから、ホース本体の外周に傷を付けないように支持体の窓孔からスムースに外部に送り出すことができる。
（３）請求項４、請求項５に記載の発明は、ホース案内部材２１が複数のローラを備え、ホース本体の外周を上下又は／及び左右を囲むように案内するので、操作者がホース本体を多方向へ送り出し乃至巻取りしても、ホース本体は複数のローラにスムースに案内される。したがって、ホース本体の操作性が良い。
（４）請求項６、請求項７に記載の発明は、左右の取付け板、左右のローラ軸受け部、上下一対の水平ローラ支持軸、複数本の第１固定手段を介してローラ案部材を製作することができる。したがって、複数個の構成部材を簡単かつ合理的に組み合わせて一つのセット型ローラ案部材を得ることができる。
（５）請求項８、請求項９に記載の発明は、操作者が一般の需要者である場合、エアタワーに関する情報（例えば充填量、調整具合、使用手順等）を容易に知ることができると同時に、入力操作も極めて簡単である。したがって、使い勝手が非常に良い。
（６）請求項１０に記載の発明は、所望の位置にホース案内部材をセットできる。
（７）特に、ホース巻取り機、ホース案内部材等が内装されている実施例の場合には外観上、見栄えが良いし、また、ホース巻取り機、ホース案内部材に操作者が打ち当たる危険性もない。
【発明を実施するための最良の形態】
【０００８】
以下、図１乃至図１０に示す本発明を実施するための最良の形態により説明する。
【０００９】
（１）発明の実施の環境
図１は発明の実施の環境を示す概略説明図である。図１乃至３に於いて、Ｘは圧力媒体充填用エアタワーである。この圧力媒体充填用エアタワーＸは、例えばガソリンスタンド、カー用品店、自動車整備工場、自転車屋等の床面に設置される。したがって、圧力媒体充填用エアタワーＸは、例えば自動車や自転車のタイヤに圧力媒体（圧縮空気、ガスなど）に充填するのに用いられる。エアタワーＸは、自動車、自転車等の被供給物の図示しない圧力媒体取り入れ口にエアーチャックを介して空気、ガス等の圧力媒体を充填する。エアタワーＸは、被供給物に対して圧力媒体を充填する（圧力媒体を足す）機能のみならず、圧力媒体を調整する（圧力媒体を抜く）機能を有する。
【００１０】
そこで、エアタワーＸは、図示しない供給源から圧力媒体の供給を受け、供給ライン〜ホース巻取り機を備えた箱型支持体１を介して被供給物に圧力媒体を供給し、又は被供給物の圧力媒体を調整する。ホース巻取り機は、被供給物の圧力媒体取り入れ口に着脱自在に装着されるエアーチャックを有するホース本体を所要範囲まで送り出す機能と、ホース本体を巻き取る機能とを有する。巻き取り機能の具体的構成は、本発明の特定要件ではないので、その説明を割愛するが、例えばバネ部材のバネ力を利用してホース本体を巻き取る。以下、本発明の特定要件について順次説明するが、細部的な事項は図面及びその説明を割愛する。
【００１１】
（２）本発明の特定要件
本発明の特定要件は、箱型支持体１と、この支持体１の内部に設けられたホース巻取り機１１と、前記支持体１の前壁３に形成された窓孔９に対して摺接或いは摺動部材（例えばローラ）が位置するように前記前壁３の内壁面に固定されたホース案内部材２１と、ホース巻取り機から該ホース案内部材を介して支持体１の前壁３の外へと送り出され、かつ、先端部に被供給物の圧力媒体取り入れ口に着脱自在に装着されるエアーチャックを有するホース本体１４と、被供給物のエアーの充填量を表示する表示器５である。必要に応じて、本発明の特定要件に従属項の特徴（例えば摺動部材の位置、ホース案内部材の具体的構造、上部傾斜壁、操作盤、表示器の表示態様など）が加味される。
【００１２】
（３）箱型支持体１
図１乃至図３を参照にして箱型支持体１について説明する。箱型支持体１は、床面に垂直状態に設置される。本実施例の箱型支持体１は、大人の標準的な身長を基準として長箱状に形成されている。例えば床面Ｆから上壁２まで「１１５０ｍｍ」ある。また長箱状の支持体１は、入力操作手段の操作性を考慮して前壁３の上部を傾斜状に形成している。
【００１３】
この上部傾斜壁３ｂは、例えば垂直前壁３ａの上端（折曲外形線）から上壁２まで「２８０ｍｍ」ある。したがって、垂直前壁３ａは床面からその上端まで、「８７０ｍｍ」ある。
【００１４】
さて、支持体１の前記上部傾斜壁３ｂには、上部側に矩形状の開口部４が形成され、該開口部４に表示器５、入力操作手段６、操作手順表示手段等を有するケース状の操作盤７が取り付けられている。また、上部傾斜壁３ｂの下部側には、特に示さないが、シート、フイムル状の操作手順表示手段が設けられている。表示器５の表示部は、液晶画面であり、デジタル方式で被供給物の圧力媒体の充填状況が表示される。また操作盤７は、その表示器５の表示画面が、望ましくは上部傾斜壁と面一の状態になるように取付け板８を介して上部傾斜壁３ｂの内壁面に固定される。
【００１５】
図１０で示すように操作盤７は、その前面パネルに複数個の入力操作手段（起動ＯＮ、駆動ＯＦＦ、エアーを足す、エアーを抜く等の操作釦）６が横方向に配列されている。入力操作手段６の入力信号は、図示しない制御手段を介して処理される。そのために操作盤６は、図示しないプリント基板を内蔵していると共に、信号線や電線を有している。なお、上部傾斜壁３ｂの表示器５の表示部や操作手順表示手段は、有機ＥＬディスプレイでも良い。
【００１６】
また支持体１の前記垂直前壁３ａの上部中央部に矩形状の窓孔９が形成されている。この窓孔９は、支持体１に内設されたホース巻取り機１１から送り出されるホース本体１４を外へ出すためのものである。本実施例では、該窓孔９内に少なくとも１本の水平ローラの外周の一部が位置するように、或いは窓孔９に対して臨むようにホース案内部材２１が窓孔９付近の内壁面に固定手段を介して固定されている。前記固定手段は、調整螺杆を含む位置調整手段であることが望ましい。
【００１７】
（４）ホース巻取り機
ホース巻取り機１１は、支持体１の後壁１０の内壁面の中央部に取付け板を介して固定されたリールケース１２と、該リールケース１２の中に回転自在に軸支されたエアリール１３と、このエアリール１３に巻装され、かつ、ホース案内部材２１の単数又は複数のローラを介して窓孔９から外へと送り出されるホース本体１４とを備え、前記ホース本体１４の先端部には、交換可能なエアーチャック１５が取り付けられている。エアーチャック１５は、常時、支持体１の前壁３の前方に垂れ下がっている。
【００１８】
なお、エアタワーＸの側壁等には、供給源用のエアーバルブ１６、供給源用のフィルター・レギュレーター１７が適宜に取り付けられ、また、供給源は、エアーバルブ１６、フィルター・レギュレーター１７及び操作盤７を備えた供給ライン１８を介してホース巻取り機１１のホース本体１４へと導かれる。また、１９はホース本体１４の先端部に固定された球状のストッパーである。
【００１９】
（５）ホース案内部材２１の軸受け２２
図４〜図９を参照にしてホース案内部材２１の構成を説明する。ホース案内部材２１は、支持体１の窓孔９を基準として前壁３の内壁面に固定される左右の軸受け２２．２２と、これらの軸受けに軸支された少なくとも下部側の１本の水平ローラとを備えている。本実施例では、ホース案内部材２１は、ワンセットの部材として構成され、垂直前壁３ａの内壁面に固定される左右一対の軸受け２２．２２と、これらの軸受けにホース案内開口を形成するように上下左右に軸支された水平ローラ３１及び垂直ローラ３２とを備えている。
【００２０】
ところで、前記左右の軸受け２２．２２は、同一構成なので、ここでは同一の符号を付し、他方の説明を割愛する。例えば一部概略断面図の図６を基準にすると、２２は右側の軸受けである。この軸受け２２は、突片を有する取付け板２３と、この取付け板２３の内壁面に固定的に取付けられる横向き凹所状（断面コ字型状）のローラ軸受け部２４とから成る。取付け板２３とローラ軸受け部２４は別体であるが、もちろん、予め一体に形成しても良い。
【００２１】
しかして、取付け板２３は、例えば図６、図８で示すように、長板状の支持壁部２３ａと、この支持壁部２３ａの後側の側端部の中央部を手前側に直交状態に折曲形成した突片部２３ｂとを有し、前記支持壁部２３ａの上下端部には、第１固定手段２５用の水平貫通孔が形成され、一方、前記突片部２３ｂには、第２の固定手段４１を構成する調整螺杆用の取付け孔が形成されている。
【００２２】
一方、右のローラ軸受け部２４は、本実施例では、左のローラ軸受け部２４と別体に構成され、その上下端部には、中実又はパイプ状の水平ローラ支持軸２６の端部が嵌入、かつ、取付け板２３の支持壁部２３ａの貫通孔と連通可能な嵌合孔２７が形成されている。また、水平ローラ支持軸の端部の内周壁にはメネジが形成され、該メネジに取付け板２３を介して第１固定手段２５が螺合する。また、軸受けの断面横向き凹所状の上下端面の中央部には、上下の切欠部２８．２８がそれぞれ形成されている。
【００２３】
上記構成の左右の軸受け２２．２２は、垂直ローラ３２及び水平ローラ３１を上下の切欠部２８．２８ないしローラ支持軸２６の位置にセットした後、それぞれの嵌合孔２７．２７に上下一対の水平ローラ支持軸２６．２６の両端部をそれぞれ嵌入し、次に、左右の軸受け２２．２２の外壁面に取付け板２３．２３の支持壁部２３ａ．２３ａを、例えば接着層、固着具等を介して固定的に添設し、しかる後に、左右の取付け板２３．２３の貫通孔に複数本（合計４本）の第１固定手段２５をそれぞれ差し込み、上下一対の水平ローラ支持軸２６．２６の両端面を基準にして左右のローラ軸受け部２４．２４の間隔が所定寸法になるまで第１固定手段２５を締め付ける。
【００２４】
この時、複数個の第１固定手段２５は、各水平ローラ支持軸２６．２６の挿入端部のメネジにそれぞれ螺着する。これにより、左右の取付け板２３．２３と、左右のローラ軸受け部２４．２４と、上下一対の水平ローラ支持軸２６．２６は、複数本の第１固定手段２５を介して一体的に結合し、一つのホース案内部材２１が出来上がる。
【００２５】
（６）ホース案内部材２１のローラ
本実施例のホース案内部材２１のローラは、左右のローラ軸受け部２４．２４に横架された上下一対の水平ローラ支持軸２６．２６にそれぞれ回転自在に支持された上下一対の水平ローラ３１．３１と、ローラ軸受け部２４．２４の断面横向き凹所に設けられた左右一対の垂直ローラ３２．３２とから成る。
【００２６】
しかして、垂直ローラ３２．３２の各上下の突起軸３３．３３は、前述した上下切欠部２８．２８にそれぞれ嵌め込まれ、これらの上下切欠部の切欠端面２８．２８と上下の水平ローラ３１．３１の端面３４．３４に挟持状態に支持されている。
【００２７】
（７）  第２の固定手段
第２の固定手段４１は、本実施例では、支持体１の垂直前壁３ａに固定的に設けられた調整螺杆を含む複数（２個）の位置調整手段である。一つのホース案内部材２１は、左右一対の位置調整手段４１を介して垂直前壁３ａの裏側に固定され、セット時、窓孔９に対して進退動可能（位置調整可能）に固定される。
【００２８】
しかして、第２の固定手段４１は、図７、図８で示すように垂直前壁３ａの窓孔９を基準にして前壁３ａの内壁面の左右に水平状態に固定された左右一対の調整螺杆４２と、これらの調整螺杆４２にそれぞれ螺合する少なくとも第１固定具（ナット）４３と、この一つの固定具４３と協同としてホース案内部材２１の突片部２３ｂの取付け孔を貫通した前記調整螺杆４２をサンドイッチ状態にそれぞれ挟持する第２固定具（例えばナット）４４とから成る。
【実施例】
【００２９】
発明の実施の形態で示した実施例に於いて、ホース案内部材２１は、支持体１の前壁の裏側（前壁の内壁面）に位置するように窓孔９に対して固定的に添設する旨を説明したが、設計如何によっては、前壁の表側（前壁の外壁面）に位置するように窓孔９に対して固定的に添設しても良い。
【００３０】
要は、「ホース巻取り機から送り出されホース本体が汚れないと共に、ホース本体の外周に傷を付けないように支持体の窓孔から送り出すことができること」という発明の目的・効果を達成することができれば良い。
【００３１】
また、ホース案内部材２１用の第２の固定手段４１（位置調整手段）の第１固定具４３は、例えばナットであることを説明したが、該ナットホース案内部材２１を支持体１の内部方向へ常時付勢するバネに代用しても良い。第１固定具４３がバネである実施例の場合には、ホース案内部材２１の位置調整を簡単にすることができる。
【産業上の利用可能性】
【００３２】
本発明は、主にガソリンスタンド、カー用品店、自動車整備工場、自転車屋等の床面に設置され、車両や自転車のタイヤのエアーに圧力媒体を充填する、又は圧力媒体を調整するために利用される。したがって、主に自動車や自転車の関連業界で利用される。
【図面の簡単な説明】
【００３３】
図１乃至図１０は本発明の最良の実施例を示す各説明図。
【図１】正面からの説明図。
【図２】右側面からの説明図。
【図３】平面からの説明図。
【図４】ホース案内部材の正面図。
【図５】ホース案内部材の左側面図。
【図６】図４を基準にした一部概略断面図。
【図７】支持体とホース案内部材との関係を示す説明図。
【図８】特に、ホース案内部材、第２の固定手段（位置調整手段）を示す斜視からの説明図。
【図９】ホース案内部材の横断面からの概略説明図。
【図１０】要部（操作盤）を示す説明図。
【符号の説明】
【００３４】
Ｘ…エアタワー、1…箱型支持体、２…上壁、３…前壁、３ａ…垂直前壁、３ｂ…上部傾斜壁、５…表示器、６…入力操作手段、７…操作盤、９…窓孔、１０…後壁、１１…ホース巻取り機、１４…ホース本体、１５…エアーチャック、２１…ホース案内部材、２２…左右の軸受け、２３…取付け板、２４…ローラ軸受け部、２５…第１固定手段、２６…水平ローラ支持軸、２７…嵌合孔、２８…上下の切欠部、３１…水平ローラ、３２…垂直ローラ、４１…第２の固定手段、４２…調整螺杆、４３…第１固定具、４４…第２固定具。
【図１】
2006008306.tif 000003
【図２】
2006008306.tif 000004
【図３】
2006008306.tif 000005
【図４】
2006008306.tif 000006
【図５】
2006008306.tif 000007
【図６】
2006008306.tif 000008
【図７】
2006008306.tif 000009
【図８】
2006008306.tif 000010
【図９】
2006008306.tif 000011
【図１０】
2006008306.tif 000012